(57)【要約】      （修正有）【課題】使用する際の種々の部品の取り付けや設定の手間を省略し、より安全に使用可能にする小型撹拌機の提供。【解決手段】撹拌機１は、筐体２、撹拌軸１０、撹拌翼、ホルダ１７、および係止機構２０を有する。筐体２は、台座部２ａ、箱状制御部２ｂ、およびフレーム部２ｃを有する。箱状制御部２ｂは、内部にモータ３を収納し、台座部２ａの上方に配置してある。フレーム部２ｃは、箱状制御部２ｂを、台座部２ａに連設支持してある。撹拌軸１０は、箱状制御部２ｂから垂下方向に延び、モータ３に連結してある。撹拌翼は、撹拌軸１０の下端近傍に取り付けられ、モータ３の駆動により回転する。ホルダ１７は、撹拌される液体を収容する容器１６を保持する。係止機構２０は、ホルダ１７を筐体２に対して着脱可能であり、係止部２０ａと、取り付け部２０ｂと、で構成されている。【選択図】図４
2019093319.tif 000002
【特許請求の範囲】
【請求項１】
撹拌翼（１５）の回転により液体を容器（１６）内で撹拌するための、一体型の小型撹拌機（１）であって、
底部に配置された台座部（２ａ）と、該台座部（２ａ）の鉛直方向上方に配置され内部に駆動部（３）を収納した箱状制御部（２ｂ）と、該箱状制御部（２ｂ）をその背面および左右側面の少なくともいずれかから前記台座部（２ａ）に連設支持させるフレーム部（２ｃ）とを備え、前記台座部（２ａ）、前記箱状制御部（２ｂ）、および前記フレーム部（２ｃ）により囲まれる内部に撹拌空間を持つ筐体（２）と、
前記箱状制御部（２ｂ）から垂下方向に延び、かつ前記駆動部（３）に連結された撹拌軸（１０）と、
該撹拌軸（１０）の下端近傍に取り付けられ、前記駆動部（３）の駆動により前記撹拌軸（１０）を介して回転する撹拌翼（１５）と、
該撹拌翼（１５）の回転により撹拌される液体を収容する容器（１６）を保持するホルダ（１７）と、
該ホルダ（１７）を前記筐体（２）に対して着脱可能な係止機構（２０）と、を有し、
該係止機構（２０）は、ホルダ（１７）に形成された係止部（２０ａ）と、該係止部（２０ａ）が係止される筐体（２）側に設置された取り付け部（２０ｂ）と、で構成されていることを特徴とする撹拌機（１）。
【請求項２】
前記取り付け部（２０ｂ）の鉛直方向上下位置を調整可能に固定する上下位置調整機構（２２）を、さらに有する請求項１に記載の撹拌機（１）。
【請求項３】
前記取り付け部（２０ｂ）は、前記上下位置調整機構（２２）を介して前記筐体（２）の前記フレーム部（２ｃ）に固定されている請求項２に記載の撹拌機（１）。
【発明の詳細な説明】
【技術分野】
【０００１】
本発明は、容器内部の所定位置に配置した撹拌翼の回転により容器内で液体を撹拌する撹拌機に関する。特に、企業の実験室や大学の研究室など狭い空間での使用に適した一体型の小型撹拌機に関する。
【背景技術】
【０００２】
従来の撹拌機として、固定手段によって固定される支柱と、該支柱の所定高さ位置に取り付けられる取付竿と、該取付竿に取り付けられモータ駆動により回転する撹拌軸（シャフト）と、該撹拌軸の下端に固定して取り付けられる撹拌翼（インペラ）と、を組み立てたものが知られている（特許文献１）。この撹拌機によれば、撹拌翼を液体が収容された撹拌層（容器）内に配置させ、モータの駆動によって撹拌軸を介して撹拌翼を回転させることにより、液体をかき混ぜて均一にすることができる。
【先行技術文献】
【特許文献】
【０００３】
【特許文献１】特開平８−１０８０５７
【発明の概要】
【発明が解決しようとする課題】
【０００４】
特許文献１の撹拌機によれば、撹拌翼を液体が収容された撹拌層（容器）内に配置させ、モータの駆動によって撹拌軸を介して撹拌翼を回転させることにより、液体をかき混ぜて均一にすることができる。このような撹拌機は、撹拌槽の大きさや形状に制限されることなく、攪拌層内の液体を撹拌することができる、支柱を固定する固定手段として、スタンド、架台、タンク等の様々な固定手段を利用することができる、さらには、攪拌層に対する撹拌軸の角度を自由に設定することができる等の利点から、従来より多用されている。
【０００５】
しかしながら、特許文献１の撹拌機によれば、支柱を固定手段によって固定する、撹拌軸が撹拌槽に対して所望の角度となるように組み立てる、さらに撹拌槽を撹拌機とは別体の固定具によって固定するなど、撹拌機を使用する際に設置者が種々の部品を組み立て・設定する必要があった。また、部品を組み立て・設定する際の固定箇所が多く、安全確認箇所が多いため、組み立て・設定に際し、時間と手間がかかるという欠点があった。さらには、回転する撹拌軸が露出している部分が広いので、撹拌作業中に回転部分に接触しないよう十分に注意を払わなければならない範囲が広く、不便でもあった。
【０００６】
本発明は、上記点に鑑みなされたものであって、その目的は、撹拌機使用時の部品の組み立てや設置の手間を省略でき、かつ、より安全に使用することが可能な一体型の小型撹拌機を提供することにある。
【課題を解決するための手段】
【０００７】
以下では、本発明の理解を容易にするために、本発明の実施形態を示す図面に対応する符号を付して説明するが、これに限定されるものではない。
【０００８】
上記目的を達成するために、本発明によれば、以下に示す構成を備えた一体型の小型撹拌機（１）が提供される。
【０００９】
本発明の撹拌機（１）は、台座部（２ａ）、箱状制御部（２ｂ）、およびフレーム部（２ｃ）で構成される筐体（２）を有する。
台座部（２ａ）は、筐体（２）の底部に配置してある。箱状制御部（２ｂ）は、内部に駆動部（３）を収納しており、台座部（２ａ）の鉛直方向上方に配置してある。フレーム部（２ｃ）は、箱状制御部（２ｂ）を、その背面から、あるいは、その左右側面から、あるいは、その背面および左右側面から、台座部（２ａ）に連設支持してある。筐体（２）は、台座部（２ａ）、箱状制御部（２ｂ）、およびフレーム部（２ｃ）により囲まれる内部に撹拌空間を持つ。
【００１０】
本発明の撹拌機（１）は、筐体（２）とともに、撹拌軸（１０）、撹拌翼（１５）、ホルダ（１７）、および係止機構（２０）を有する。
撹拌軸（１０）は、筐体（２）の一構成部材である箱状制御部（２ｂ）から垂下方向に延び、かつ駆動部（３）に連結してある。撹拌翼（１５）は、撹拌軸（１０）の下端近傍に取り付けられ、駆動部（３）の駆動により撹拌軸（１０）を介して回転する。ホルダ（１７）は、撹拌翼（１５）の回転により撹拌される液体を収容する容器（１６）を保持する。係止機構（２０）は、ホルダ（１７）を筐体（２）に対して着脱可能であり、ホルダ（１７）に形成された係止部（２０ａ）と、係止部（２０ａ）が係止される筐体（２）側に設置された取り付け部（２０ｂ）と、で構成されている。
【００１１】
本発明の撹拌機（１）は、撹拌軸（１０）を筐体（２）の一構成部材である台座部（２ａ）と箱状制御部（２ｂ）との間であって、箱状制御部（２ｂ）の下方に位置させたため、従来の撹拌機と比較して、撹拌軸（１０）の露出部分を少なくすることができ、その結果、撹拌機（１）の使用時に回転する撹拌軸（１０）に容易に接触してしまうことを低減、防止することができる。また、容器（１６）を装着したホルダ（１７）を、筐体（２）側に設置した取り付け部（２０ｂ）に係止することで、容器（１６）を筐体（２）に固定可能なため、従来の撹拌機と比較して、撹拌機（１）の使用に際し、設置者が固定すべき箇所の数を減らすことができる。これとともに、使用するホルダ（１７）や容器（１６）の形状を変更することで、容器（１６）の内部に配置される撹拌軸（１０）の位置を容易に設定することができ、使用時に手間がかかりにくい。
【００１２】
本発明の撹拌機（１）は、上記構成に加え、筐体（２）側に設置される取り付け部（２０ｂ）の鉛直方向上下位置を調整可能に固定する上下位置調整機構（２２）を、さらに有していてもよい。これにより、容器（１６）の内部に配置される撹拌翼（１５）の配置位置を容易に設定することができ、その結果、従来の撹拌機と比較して、撹拌機（１）を使用するにあたり、設置者が固定すべき箇所の数をさらに減らすことができる。
【００１３】
本発明の撹拌機（１）において、筐体（２）側に設置される取り付け部（２０ｂ）は、上下位置調整機構（２２）を介して、筐体（２）の一構成部材であるフレーム部（２ｃ）の、例えば、右側壁（２ｃａ）および左側壁（２ｃｂ）に固定されていてもよい。これにより、ホルダ（１７）および取り付け部（２０ｂ）を介して、容器（１６）をより確実に固定することができる。
【発明の効果】
【００１４】
本発明に係る撹拌機によれば、撹拌機使用時の部品の組み立てや設定の手間を省略できる結果、作業効率を高めることができるとともに、より安全に使用することもできる。
【図面の簡単な説明】
【００１５】
【図１】図１は本発明に係る撹拌機の一例を示す概略斜視図である。
【図２】図２は図１の撹拌機を示す正面図である。
【図３】図３は図１の撹拌機を示す右側面図である。
【図４】図４は図２のＡ−Ａ線に沿った縦断面図である。
【図５】図５は図１の撹拌機に使用した一例としての係止機構を示す斜視図である。
【図６】図６は図２のＢ−Ｂ線に沿った横断面図である。
【図７】図７は他の例としての係止機構に使用した、筐体側に設置される取り付け部を示す斜視図である。
【図８】図８は図７の取り付け部に対して適用されるホルダ側の形態例と、これを用いた係止の一工程を示す斜視図である。
【図９】図９は図７の取り付け部に図８のホルダを係止する他の工程を示す斜視図である。
【発明を実施するための形態】
【００１６】
以下、本発明の実施形態を図面に基づいて説明する。
【００１７】
図１〜図３に示すように、本発明の一例に係る撹拌機１は、主として企業の実験室や大学の研究室など狭い空間での使用に適した一体型の小型撹拌機であり、筐体２を有する。筐体２は、その底部に配置される台座部２ａと、該台座部２ａの鉛直方向上方に配置される箱状制御部２ｂと、該箱状制御部２ｂをその背面および左右側面から台座部２ａに連設支持するフレーム部２ｃと、を備えている。本例の筐体２は、台座部２ａ、箱状制御部２ｂ、およびフレーム部２ｃにより囲まれる内部に撹拌空間を持つこととなるように構成されている。本例のフレーム部２ｃは、右側壁２ｃａ、左側壁２ｃｂおよび背側壁２ｃｃを有しており、筐体２におけるフレーム部２ｃの前方は開放されている。
【００１８】
図４に示すように、箱状制御部２ｂの内部には、駆動部としてモータ３が収納されており、モータ３は、モータ軸３ａが下方に位置するように箱状制御部２ｂの内部に配置されている。箱状制御部２ｂの内部には、さらに、モータ３の駆動制御を行う駆動制御部５（インバータなど）が収納されており、箱状制御部２ｂの正面には駆動制御部５を操作するためのスイッチ６やレバー７が取り付けられている。そして、筐体２の台座部２ａは、モータ３などが収納された箱状制御部２ｂとの重量バランスを考慮し、フレーム部２ｃを介して箱状制御部２ｂを支持可能な形状および重量によって形成されている。
【００１９】
モータ軸３ａは、連結筒９の上部に挿通されており、連結筒９の下部には撹拌軸１０が挿通されている。連結筒９には、チャック１１が着脱可能に取り付けられており、チャック１１には締付部１２が回動可能に取り付けられている。撹拌軸１０が挿通された連結筒９をチャック１１に挿通させるとともに、モータ軸３ａを挿通させ、締付部１２を回動することにより、撹拌軸１０は連結筒９を介してモータ軸３ａに固定されるようになっている。
【００２０】
撹拌軸１０の下端には、撹拌翼１５が着脱可能に固定して取り付けられており、撹拌翼１５は、モータ３の駆動により、モータ軸３ａ、連結筒９、撹拌軸１０を介して回転するようになっている。撹拌翼１５としては、パドル翼、ディスクタービン翼、平板バドル翼、プロペラ翼、ファン翼など、撹拌する液体の粘度など様々な要素を考慮して種々のものを用いることができる。
【００２１】
また、撹拌機１は、開口部１６ａから内部に被撹拌材である液体を収容する容器１６を保持するホルダ１７を有しており、ホルダ１７の下面端部には、把持部１８が取り付けられている。容器１６としては、例えば、ディポーザルカップやビーカーなどが挙げられる。
ホルダ１７によって容器１６を保持する保持機構として、本例では、容器１６が上部よりも下部の周縁の径が短い側面視において逆台形形状とされるとともに、ホルダ１７には、容器１６の周縁形状と同一の形状であって容器１６の上端部の径よりも短い径寸法の保持開口１７ａが形成されている。この保持開口１７ａの上方から容器１６を挿通させると、容器１６がその周縁部における保持開口１７ａと同一の径寸法の部分でホルダ１７に固定され、これによりホルダ１７は、容器１６の上下方向における中心軸ＣＡとホルダ１７の平面が垂直に配置されるように容器１６を保持するようになっている。
【００２２】
なお、ホルダ１７が容器１６を保持する保持機構は、本例の形状に限定されるものではなく、例えば、容器１６の周縁部に係止凸部（不図示）を設け、ホルダ１７の保持開口１７ａが係止凸部に係止されるようにしてもよい。
【００２３】
図５に示すように、本例の撹拌機１は、ホルダ１７を筐体２に対して着脱可能な係止機構２０を有しており、この機構によって、ホルダ１７を介して容器１６を筐体２に固定することができるようになっている。本発明において係止機構２０は、ホルダ１７に形成された係止部２０ａと、該係止部２０ａが係止される筐体２側に設置された取り付け部２０ｂと、で構成されていればよい。
図５に示す一例において、係止部２０ａは、取り付け部２０ｂの上端縁に引っかかる形状に形成されている。そして、ホルダ１７は、撹拌軸１０を容器１６内の一定位置に配置させながら、係止部２０ａを取り付け部２０ｂの上端縁に引っかけることにより、図４および図６に示すように、撹拌軸１０が容器１６の中心軸ＣＡに一致して配置されるように、容器１６を筐体２に固定することができるようになっている。
係止機構２０の形状は、本発明において、図５に示す形態または形状に限定されない。
【００２４】
図７〜図９に他の例を示す。この他の例の係止機構２０は、筐体２側に設置される取り付け部２０ｂに形成された係止溝２０ｃと、該係止溝２０ｃに係止される、ホルダ１７に設けられた係止部２０ａと、取り付け部２０ｂに当接する当接部２０ｄとを有している。この他の例の係止機構２０は、ホルダ１７の係止部２０ａを、係止溝２０ｃに挿通させて係止させるとともに、当接部２０ｄを取り付け部２０ｂに当接させて、ホルダ１７の位置を固定させることにより、ホルダ１７を介して容器１６を筐体２に固定するようになっている。
【００２５】
なお、本例においては、撹拌軸１０が容器１６の内部における中心軸ＣＡに一致して配置されるように位置して容器１６が筐体２に固定されるようになっているが、本発明の撹拌機１は、この態様に限定されるものではなく、例えば、撹拌する液体の種類に応じて撹拌効率を考慮して、撹拌軸１０が容器１６の中心軸ＣＡから偏心した位置に配置されるようにしてもよい。例えば、容器１６が筐体２に固定される際、撹拌軸１０が容器１６の中心軸ＣＡから平行してずれる位置に配置されるように、ホルダ１７における保持開口１７ａの形成位置を設定したり（不図示）、ホルダ１７における係止部２０ａの長さ寸法を設定してもよい（不図示）。
【００２６】
さらにまた、容器１６が筐体２に固定される際に、撹拌軸１０が容器１６の中心軸ＣＡに対して傾斜して配置されるように、取り付け部２０ｂに対してホルダ１７の平面が傾斜して配置されるようにホルダ１７に対する係止部２０ａの角度を設定したり（不図示）、ホルダ１７の保持開口１７ａが係止される容器１６の周縁部の係止凸部の位置を設定してもよい（不図示）。
【００２７】
取り付け部２０ｂは、上下位置調整機構２２によって筐体２のフレーム部２ｃに、鉛直方向の上下位置を調整可能に固定されている。本例において、上下位置調整機構２２は、フレーム部２ｃの左側壁２ｃｂおよび右側壁２ｃａに上下方向に長い挿通孔２２ａ、図５に示す取り付け部２０ｂの両端部にそれぞれ形成された螺子孔２２ｂ、および固定用螺子２２ｃを有している。そして、取り付け部２０ｂは、容器１６の深さ寸法や、容器１６に収容される液体の量を考慮して設定される所定の高さ位置において、図９に示すように挿通孔２２ａを介して固定用螺子２２ｃを取り付け部２０ｂの螺子孔２２ｂに螺挿することにより、鉛直方向の上下位置を調整可能にフレーム部２ｃに固定されるようになっている。これにより撹拌機１は、取り付け部２０ｂおよびホルダ１７を介して撹拌槽１６が筐体２に固定されるようになっている。
【００２８】
なお、本例の上下位置調整機構２２においては、取り付け部２０ｂが、フレーム部２ｃの左側壁２ｃｂおよび右側壁２ｃａに固定されているが、本発明の撹拌機１は、この態様に限定されず、例えば、フレーム部２ｃの背側壁２ｃｃに、取り付け部２０ｂを固定するようにしてもよい。
また、筐体２とは別に、取り付け部２０ｂを上下位置調整可能に固定する固定手段を有していてもよい。
【００２９】
本例の撹拌機１では、撹拌軸１０が筐体２の内部（筐体２の一構成部材である台座部２ａと箱状制御部２ｂとの間）における箱状制御部２ｂの下方に位置しているので、従来の撹拌機と比較して、撹拌軸１０の露出部分を少なくすることができ、これにより、撹拌機１の使用時に回転する撹拌軸１０に容易に接触してしまうことを低減、防止することができる。
また、容器１６を装着したホルダ１７を、筐体２側に設置した取り付け部２０ｂに係止することで、容器１６を筐体２に固定するので、従来の撹拌機と比較して、撹拌機１の使用に際し、設置者が固定すべき箇所の数を減らすことができる。これとともに、使用するホルダ１７や容器１６の形状を変更することで、容器１６の内部に配置される撹拌軸１０の位置を容易に設定することができる。すなわち、使用時に手間がかかりにくい。
【００３０】
したがって、本例の撹拌機１は、撹拌機１を使用する際の部品の取り付けや設定の手間を省略することができ、その結果、作業効率を高めることができるとともに、より安全に使用することもできる。
【００３１】
また、上下位置調整機構２２により容器１６の鉛直方向の上下位置を設定することにより、容器１６の内部に配置される撹拌翼１５の配置位置の設定が容易になる。これにより、従来の撹拌機と比較して、本例の撹拌機１では、撹拌機１を使用するにあたり、設置者が固定すべき箇所の数をさらに減らすことができる。
【００３２】
さらに筐体２側に設置される取り付け部２０ｂを、フレーム部２ｃの右側壁２ｃａおよび左側壁２ｃｂに固定することにより、ホルダ１７および取り付け部２０ｂを介して容器１６をより確実に固定することができる。
【００３３】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００３４】
１…撹拌機
２…筐体
２ａ…台座部
２ｂ…ハウジング部
２ｃ…フレーム部
２ｃａ…右側壁
２ｃｂ…左側壁
２ｃｃ…背側壁
３…モータ（駆動部）
３ａ…モータ軸
５…駆動制御部
６…スイッチ
７…レバー
９…連結筒
１０…撹拌軸
１１…チャック
１２…締付部
１５…撹拌翼
１６…容器
１６ａ…開口部
１７…ホルダ
１７ａ…保持開口
１８…把持部
２０…係止機構
２０ａ…係止部
２０ｂ…取り付け部
２０ｃ…係止溝
２０ｄ…当接部
２２…上下位置調整機能
２２ａ…挿通孔
２２ｂ…螺子孔
２２ｃ…螺子
【図１】
2019093319.tif 000003
【図２】
2019093319.tif 000004
【図３】
2019093319.tif 000005
【図４】
2019093319.tif 000006
【図５】
2019093319.tif 000007
【図６】
2019093319.tif 000008
【図７】
2019093319.tif 000009
【図８】
2019093319.tif 000010
【図９】
2019093319.tif 000011